(57)【要約】    【課題】  目的とする音声が聞き取り易く、かつ違和感のない音声記録を行なうことができる電子機器を提供する。    【解決手段】  マイクロホン６２を介して音声をデジタル音声データとして入力し、音声調整部６４により当該デジタル音声データを所定の音声成分のみが強調されるように調整してメモリカード５２に記録する。    【選択図】  図２
2005140942.tif 000002
【特許請求の範囲】
【請求項１】
音声を音声信号として入力する音声入力手段と、
前記音声入力手段により入力された前記音声信号を、所定の音声成分のみが強調されるように調整する調整手段と、
前記調整手段によって調整された前記音声信号を記録媒体に記録する記録手段と、
を備えた電子機器。
【請求項２】
前記調整手段は、前記音声入力手段により入力された前記音声信号に含まれる前記音声成分のみを増幅することにより当該音声信号を調整する
請求項１に記載の電子機器。
【請求項３】
前記調整手段は、前記音声入力手段により入力された前記音声信号に含まれる前記音声成分以外の成分を減衰することにより当該音声信号を調整する
請求項１に記載の電子機器。
【請求項４】
前記記録媒体を、電子機器に着脱可能に構成された可搬型記録媒体とし、
前記音声成分を、前記可搬型記録媒体に予め記録されたものとした
請求項１乃至請求項３の何れかに記載の電子機器。
【請求項５】
前記音声成分を、前記音声入力手段により入力された音声信号に基づくものとした
請求項１乃至請求項４の何れかに記載の電子機器。
【請求項６】
前記音声成分を、音の周波数の範囲により示されるものとした
請求項１乃至請求項５の何れかに記載の電子機器。
【発明の詳細な説明】
【技術分野】
【０００１】
本発明は、音声を記録媒体に記録可能に構成された電子機器に関する。
【背景技術】
【０００２】
近年、携帯電話機、ＰＤＡ（Personal Digital Assistant）、デジタルカメラ等の電子機器において、音声を記録媒体に記録する機能を備えたものが多数製品化されている。
【０００３】
この種の電子機器では、周囲の音声をマイクロホン等により音声信号として入力して記録するため、目的とする音声と共に周囲の物音や声等も記録される。
【０００４】
このような周囲の音声は目的とする音声を聞き取り難くする原因となる場合が多く、従来から、目的とする音声を聞き取り易くすることが要望されている。
【０００５】
この要望に応えるための技術として、特許文献１には、マイクロホンから入力して符号化した音声信号データと予め記憶しておいたノイズデータとを比較し、該ノイズデータと同じ音声信号データはノイズとして除去し、ノイズ除去後の音声信号データを記録する、という技術が記載されている。
【特許文献１】特開平１０−１３３６９２号公報
【発明の開示】
【発明が解決しようとする課題】
【０００６】
しかしながら、上記特許文献１の技術では、目的とする音声は聞き取り易くなるものの、予め記憶しておいたノイズデータと同じ音声信号データをノイズとして除去して記録するため、目的とする音声以外の周囲の雰囲気を示す音声信号データまでノイズとして除去してしまい、記録した音声が違和感のあるものとなってしまう、という問題点があった。
【０００７】
本発明は上記問題点を解決するためになされたものであり、目的とする音声が聞き取り易く、かつ違和感のない音声記録を行なうことができる電子機器を提供することを目的とする。
【課題を解決するための手段】
【０００８】
上記目的を達成するために、請求項１記載の電子機器は、音声を音声信号として入力する音声入力手段と、前記音声入力手段により入力された前記音声信号を、所定の音声成分のみが強調されるように調整する調整手段と、前記調整手段によって調整された前記音声信号を記録媒体に記録する記録手段と、を備えている。
【０００９】
請求項１に記載の電子機器では、音声入力手段により音声が音声信号として入力される。なお、上記音声入力手段には、コンデンサマイクロホン、ダイナミックマイクロホン等のマイクロホンが含まれる。
【００１０】
ここで、本発明では、前記音声入力手段により入力された音声信号が、所定の音声成分のみが強調されるように調整手段により調整されて記録手段によって記録媒体に記録される。
【００１１】
すなわち、本発明では、入力された音声信号を記録媒体に記録する前に、所定の音声成分のみをその他の音声成分よりも強調するようにしており、当該他の音声成分の除去は行なわないため、上記所定の音声成分を目的とする音声の音声成分とすることにより、当該目的とする音声が聞き取り易く、かつ違和感のない音声記録を行なうことができる。
【００１２】
なお、上記記録媒体には、スマートメディア、ＳＤカード、メモリスティック、コンパクトフラッシュ（Ｒ）、マイクロドライブ等の可搬型記録媒体や、ＲＡＭ、ＥＥＰＲＯＭ、フラッシュメモリ等の半導体記憶素子が含まれる。
【００１３】
このように、請求項１に記載の電子機器によれば、音声を音声信号として入力し、当該音声信号を、所定の音声成分のみが強調されるように調整して記録媒体に記録しているので、目的とする音声が聞き取り易く、かつ違和感のない音声記録を行なうことができる。
【００１４】
なお、本発明の調整手段は、請求項２に記載の発明のように、前記音声入力手段により入力された前記音声信号に含まれる前記音声成分のみを増幅することにより当該音声信号を調整するようにしてもよい。これにより、所定の音声成分のみを強調することができる。
【００１５】
また、本発明の調整手段は、請求項３に記載の発明のように、前記音声入力手段により入力された前記音声信号に含まれる前記音声成分以外の成分を減衰することにより当該音声信号を調整することもできる。これにより、目的とする音声成分のみが相対的に強調されることになる。
【００１６】
更に、本発明は、請求項４に記載の発明のように、前記記録媒体を電子機器に着脱可能に構成された可搬型記録媒体とし、前記音声成分を、前記可搬型記録媒体に予め記録されたものとしてもよい。これにより、予めそれぞれ異なる音声成分を記録した複数の記録媒体を準備しておき、用途や状況等に応じた音声成分が記録された記録媒体を用いることで当該用途や状況等に応じた音声成分を強調して記録することができるので、利便性を向上させることができる。
【００１７】
また、本発明は、請求項５に記載の発明のように、前記音声成分を、前記音声入力手段により入力された音声信号に基づくものとしてもよい。これにより、音声入力手段を介して所望の音声を予め入力するだけで、容易に所望の音声成分を強調して音声記録を行なうことができると共に、調整対象とする音声を入力する音声入力手段と同一の手段により音声成分を入力することで高精度に所望の音声成分を強調することができる。
【００１８】
ところで、音の周波数分布が音声の特徴を顕著に表わすことが従来から知られている。
【００１９】
この点に着目して、本発明は、請求項６に記載の発明のように、前記音声成分を、音の周波数の範囲により示されるものとしてもよい。これにより、高精度かつ容易に所定の音声成分を強調して音声記録を行なうことができる。
【発明の効果】
【００２０】
以上説明したように、本発明に係る電子機器によれば、音声を音声信号として入力し、当該音声信号を、所定の音声成分のみが強調されるように調整して記録媒体に記録しているので、目的とする音声が聞き取り易く、かつ違和感のない音声記録を行なうことができる、という優れた効果を有する。
【発明を実施するための最良の形態】
【００２１】
以下、図面を参照して、本発明を実施するための最良の形態について詳細に説明する。
【００２２】
まず、図１を参照して、本形態に係るデジタルカメラ１０の外観上の構成を説明する。
【００２３】
同図に示すように、デジタルカメラ１０の正面には、被写体像を結像させるためのレンズ２１と、撮影する被写体の構図を決定するために用いられるファインダ２０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２４】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２６】
一方、デジタルカメラ１０の背面には、前述のファインダ２０の接眼部と、撮影によって得られたデジタル画像データにより示される被写体像や各種メニュー画面、メッセージ等を表示するための液晶ディスプレイ（以下、「ＬＣＤ」という。）３８と、撮影を行うモードである撮影モード及び撮影によって得られたデジタル画像データにより示される被写体像をＬＣＤ３８に表示（再生）するモードである再生モードの何れかのモードに設定するためにスライド操作されるモード切替スイッチ５６Ｃと、ＬＣＤ３８の表示領域における上・下・左・右の４方向の移動方向を示す４つの矢印キー及び当該４つの矢印キーの中央部に位置された決定キーの合計５つのキーを含んで構成された十字カーソルボタン５６Ｄと、が備えられている。
【００２７】
次に、図２を参照して、本実施の形態に係るデジタルカメラ１０の電気系の構成を説明する。
【００２８】
同図に示すように、デジタルカメラ１０は、前述のレンズ２１を含んで構成された光学ユニット２２と、レンズ２１の光軸後方に配設されたＣＣＤ（電荷結合素子）２４と、入力されたアナログ信号に対して各種のアナログ信号処理を行うアナログ信号処理部２６と、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２９】
なお、デジタル信号処理部３０は、所定容量のラインバッファを内蔵し、入力されたデジタルデータを後述するメモリ４８の所定領域に直接記憶させる制御も行う。
【００３０】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３１】
一方、デジタルカメラ１０は、入力された音声をアナログ音声信号に変換するマイクロホン６２と、入力されたアナログ信号をデジタルデータに変換するＡＤＣ６０と、入力されたデジタル音声データを、所定の音声成分のみが強調されるように調整して出力する音声調整部６４と、を含んで構成されている。
【００３２】
マイクロホン６２の出力端はＡＤＣ６０の入力端に接続されており、マイクロホン６２から出力されたアナログ音声信号はＡＤＣ６０によってデジタル音声データに変換される。
【００３３】
なお、音声調整部６４は、通過周波数帯域が変更可能なバンドパスフィルタ及び所定の増幅率とされた増幅器（共に図示省略。）を備えており、当該バンドパスフィルタにより予め設定された周波数帯域のデジタル音声データのみを抽出することが可能である。そして、音声調整部６４では、抽出したデジタル音声データを増幅器により所定の増幅率で増幅させ、これを抽出前のデジタル音声データ（入力されたデジタル音声データ）と重畳することによって入力されたデジタル音声データを調整するようになっている。
【００３４】
また、音声調整部６４には、入力されたデジタル音声データの周波数解析を行ない、これによって得られる周波数分布に基づいて、当該デジタル音声データの主要な音声成分の周波数帯域を検出する機能（以下、「主要音声検出機能」という。）も備えられている。なお、当該機能は従来既知の技術で実現可能であるので、これ以上の説明は省略する。
【００３５】
一方、デジタルカメラ１０は、被写体像やメニュー画面等をＬＣＤ３８に表示させるための信号を生成してＬＣＤ３８に供給するＬＣＤインタフェース３６と、入力されたデジタルデータをアナログ信号に変換するデジタル／アナログ変換器（以下、「ＤＡＣ」という。）６８と、音声を再生するためのスピーカ６６と、デジタルカメラ１０全体の動作を司るＣＰＵ（中央処理装置）４０と、撮影により得られたデジタル画像データ等を記憶するメモリ４８と、マイクロホン６２を介して取得されたデジタル音声データを記録するメモリ４９と、メモリ４８及びメモリ４９に対するアクセスの制御を行うメモリインタフェース４６と、を含んで構成されている。
【００３６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３７】
なお、本実施の形態のデジタルカメラ１０では、メモリ４８としてＶＲＡＭ（Video RAM）が用いられ、メモリ４９としてＳＤＲＡＭ（Synchronous Dynamic RAM）が用いられ、メモリカード５２としてスマートメディア（Smart Media(R)）が用いられている。
【００３８】
デジタル信号処理部３０、ＬＣＤインタフェース３６、ＣＰＵ４０、メモリインタフェース４６、外部メモリインタフェース５０、圧縮・伸張処理回路５４、ＡＤＣ６０、音声調整部６４及びＤＡＣ６８は、システムバスＢＵＳを介して相互に接続されている。従って、ＣＰＵ４０は、デジタル信号処理部３０、圧縮・伸張処理回路５４及び音声調整部６４の作動の制御、ＬＣＤ３８に対するＬＣＤインタフェース３６を介した各種情報の表示、メモリ４８及びメモリ４９へのメモリインタフェース４６を介したアクセス、メモリカード５２への外部メモリインタフェース５０を介したアクセス、マイクロホン６２によるＡＤＣ６０を介したデジタル音声データの入力及びスピーカ６６によるＤＡＣ６８を介した音声の再生を各々行うことができる。
【００３９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４０】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４１】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４２】
更に、前述のレリーズボタン５６Ａ、電源スイッチ５６Ｂ、モード切替スイッチ５６Ｃ及び十字カーソルボタン５６Ｄ（同図では、「操作部５６」と総称。）はＣＰＵ４０に接続されており、ＣＰＵ４０は、これらの操作部５６に対する操作状態を常時把握できる。
【００４３】
次に、本実施の形態に係るデジタルカメラ１０の撮影時における全体的な動作について簡単に説明する。
【００４４】
まず、ＣＣＤ２４による光学ユニット２２を介した撮像が行われ、被写体像を示すＲ（赤）、Ｇ（緑）、Ｂ（青）毎のアナログ信号が順次出力される。そして、ＣＣＤ２４から出力された信号は順次アナログ信号処理部２６に入力されて、相関二重サンプリング処理等のアナログ信号処理が施された後にＡＤＣ２８に順次出力される。
【００４５】
ＡＤＣ２８では、アナログ信号処理部２６から入力されたＲ、Ｇ、Ｂ毎のアナログ信号が各々１２ビットのＲ、Ｇ、Ｂの信号（デジタル画像データ）に変換されてデジタル信号処理部３０に順次出力される。デジタル信号処理部３０では、内蔵しているラインバッファにＡＤＣ２８から順次入力されるデジタル画像データを蓄積して一旦メモリ４８の所定領域に直接格納する。
【００４６】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００４７】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４８】
なお、ＬＣＤ３８は、ＣＣＤ２４による連続的な撮像によって得られた動画像（スルー画像）を表示してファインダとして使用することができるものとして構成されているが、このようにＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４９】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５０】
ところで、デジタルカメラ１０は、撮影された静止画像に関連付けて音声を記録するボイスメモ機能を有しており、当該ボイスメモ機能により音声を記録する際には、音声調整部６４により、所定の音声成分のみが強調されて記録されるようになっている。そして、当該所定の音声成分は、ユーザの指示入力に応じてデジタルカメラ１０により実行される音声成分登録処理によって予め登録される。
【００５１】
図３には、音声成分登録処理の実行時にＣＰＵ４０で実行される音声成分登録処理プログラムの処理の流れが示されている。以下、同図を参照して本実施の形態に係る音声成分登録処理について説明する。なお、ここでは、音声成分の入力開始指示及び入力停止指示を、ユーザによる操作部５６の所定ボタンの押下操作によって入力する場合について説明する。
【００５２】
まず、ステップ１００では、登録すべき音声成分の入力開始指示を入力するための所定ボタンのユーザによる押下操作待ちを行い、次のステップ１０２では、音声データの記録を開始する。
【００５３】
当該音声データの記録は、マイクロホン６２によりＡＤＣ６０を介して入力されたデジタルカメラ１０の周囲の音声を示すデジタル音声データを、順次外部メモリインタフェース５０を介してメモリカード５２に記録することにより実行される。
【００５４】
なお、このとき、ユーザは、マイクロホン６２によって収集される全音声成分において強調して記録したい音声の成分が占める割合ができるだけ高くなるようにする。例えば、当該音声が人の声である場合には当該人の口元にマイクロホン６２を近付けたり、当該音声が鳥の声である場合には静かな雰囲気中でマイクロホン６２をできるだけ鳥に近づけたりする等、できるだけ強調したい音声以外の音声がマイクロホン６２によって収集されないようにする。
【００５５】
次のステップ１０４では、音声成分の入力停止指示を入力するための所定ボタンのユーザによる押下操作待ちを行ない、次のステップ１０６では、音声データの記録を終了する。
【００５６】
次のステップ１０８では、音声調整部６４による前述した主要音声検出機能によって、メモリカード５２に記録したデジタル音声データの主要な音声成分の周波数帯域を検出する。
【００５７】
次のステップ１１０では、検出された周波数帯域を示す情報を当該デジタル音声データの音声成分を示すものとしてメモリカード５２の所定領域に記録した後、ステップ１１２に移行する。なお、当該音声成分を記録する際には、デジタル音声データと音声成分とを関連付けて記録することが好ましい。
【００５８】
ステップ１１２では、検出された周波数帯域の音声成分を通過させるように上述したバンドパスフィルタの通過周波数帯域を設定し、その後に本音声成分登録処理プログラムを終了する。
【００５９】
ところで、モード切替スイッチ５６Ｃにより再生モードが設定されているときに、ユーザの操作部５６の操作によってボイスメモ機能の実行指示が入力されると、デジタルカメラ１０では、撮影された静止画像と音声とを関連付けて記録する音声記録処理が実行される。
【００６０】
図４は、このときＣＰＵ４０により実行される音声記録処理プログラムの処理の流れを示すフローチャートであり、以下、同図を参照して本実施の形態に係る音声記録処理について説明する。なお、ここでは、記録する音声の入力開始指示及び入力停止指示を、ユーザによる操作部５６の所定ボタンの押下操作によって入力する場合について説明する。
【００６１】
また、ここでは、ユーザにより予めボイスメモ機能により音声を付加する静止画像が指定されており、目的とする音声成分がメモリカード５２の所定領域に予め記録されている場合について説明する。
【００６２】
まず、ステップ１２０では、メモリカード５２の所定領域に記録された音声成分を読み出し、次のステップ１２２では、バンドパスフィルタの通過周波数帯域等、音声調整部６４の設定が読み出した音声成分に対応しているか否かを判定する。上述した音声成分登録処理により所定領域に音声成分を記録したメモリカード５２がそのまま用いられている場合等には当該判定が肯定判定となってステップ１２４に移行する。一方、上述した音声成分登録処理の実行後に、メモリカード５２が交換された場合等には当該判定が否定判定となってステップ１２３に移行し、読み出した音声成分に応じて音声調整部６４の設定を変更した後、ステップ１２４に移行する。
【００６３】
ステップ１２４では、音声の入力開始指示を入力するための所定ボタンのユーザによる押下操作待ちを行ない、次のステップ１２６では、デジタル音声データのメモリ４９へのバッファリングを開始する。なお、メモリ４９は、所定期間（ここでは３秒）分のデジタル音声データをバッファリング可能な容量とされている。
【００６４】
次のステップ１２８では、音声の入力停止指示を入力するための所定ボタンがユーザによって押下操作されているか否かを判定し、肯定判定となった場合はステップ１３０に移行して、音声データのメモリ４９へのバッファリングを停止し、その後にステップ１３４に移行する。一方、ステップ１２８で否定判定となった場合は、メモリ４９の上記バッファリング可能な容量分のバッファリングが終了したか否かを判定し、否定判定となった場合は再びステップ１２８に戻り、肯定判定となった場合はステップ１３４に移行する。
【００６５】
ステップ１３４では、音声調整部６４に対して後述するデジタル音声データ調整処理を実行させ、次のステップ１３６では、ユーザにより予め指定された静止画像を示すデジタル画像データと関連付けて調整後のデジタル音声データをメモリカード５２に記録する。
【００６６】
次のステップ１３８では、デジタル音声データのバッファリングを停止しているか否かを判定し、当該判定が否定判定となった場合には再びステップ１２８に戻り、肯定判定となった場合には本音声記録処理プログラムを終了する。
【００６７】
なお、ステップ１２８〜ステップ１３８の処理を繰り返し行なう際に、上記ステップ１３６では、それまでに記録されたデジタル音声データに連続してデジタル音声データを記録する。
【００６８】
図５には、デジタル音声データ調整（図４のステップ１３４参照）時の音声調整部６４における処理の手順を示すフローチャートが示されている。以下、同図を参照して本実施の形態に係るデジタル音声データ調整時の処理について詳細に説明する。
【００６９】
ここで、本実施の形態では、デジタル音声データが所定の音声成分を含まない場合には、バンドパスフィルタ及び増幅器によって何らかの影響が生じることを回避すべく、強調する処理を行なわないようにしている。
【００７０】
そこで、まず、ステップ１４２では、メモリ４９にバッファリングされたデジタル音声データの分析を行なう。当該デジタル音声データの分析は、上述した周波数解析により得られた周波数分布と、所定の音声成分とを比較することにより実行される。
【００７１】
次のステップ１４４では、デジタル音声データの分析の結果、抽出対象が含まれていたか否かを判定する。当該判定が否定判定となった場合はステップ１４６の処理を行うことなく、本バランス調整処理を終了する。
【００７２】
一方、ステップ１４４で肯定判定となった場合はステップ１４６に移行して、上述したように、抽出して増幅したデジタル音声データと当該抽出前のデジタル音声データとを重畳することにより所定の音声成分を強調し、その後に本音声バランス調整処理を終了する。
【００７３】
このように、本実施の形態によれば、マイクロホン６２を介して音声をデジタル音声データとして入力し、当該デジタル音声データを、所定の音声成分のみが強調されるように調整してメモリカード５２に記録しているので、目的とする音声が聞き取り易く、かつ違和感のない音声記録を行なうことができる。
【００７４】
また、本実施の形態によれば、マイクロホン６２を介して入力されたデジタル音声データに含まれる前記音声成分のみを増幅することにより当該デジタル音声データを調整するようにしているので、所定の音声成分のみを強調することができる。
【００７５】
また、本実施の形態によれば、デジタルカメラ１０に着脱可能に構成されたメモリカード５２に、前記音声成分を予め記録されたものとしているので、予めそれぞれ異なる音声成分を記録した複数のメモリカードを準備しておき、記録領域に用途や状況等に応じた音声成分が記録されたメモリカードを用いることで当該用途や状況等に応じた音声成分を強調して記録することができ、利便性を向上させることができる。
【００７６】
例えば、遊具の動作音等を示す音声成分を記録領域に記録した遊園地向けメモリカードや、鳥の囀りを示す音声成分を記録領域に記録したバードウォッチング向けメモリカード、波の音を示す音声成分を記録領域に記録した海水浴向けメモリカード等、用途や状況等に応じたメモリカードを使い分けるようにすることで、当該用途や状況等に応じてデジタルカメラ１０に設定を施す手間を省くことができる。
【００７７】
更に、本実施の形態によれば、前記音声成分を、マイクロホン６２を介して入力されたデジタル音声データに基づくものとしているので、音声成分マイクロホン６２を介して所望の音声を予め入力するだけで、容易に所望の音声成分を強調して音声記録を行なうことができると共に、調整対象とする音声を入力するマイクロホン６２により音声成分を入力することで高精度に所望の音声成分を強調することができる。
【００７８】
また、調整対象とする音声と音声成分とを同一のマイクロホン６２によって入力することにより、部品点数の低減によるデジタルカメラの低コスト化及び小型化を図ることができる。
【００７９】
また、本実施の形態によれば、前記音声成分を、音の周波数の範囲により示されるものとしているので、音の周波数分布が音声の特徴を顕著に表わすことを利用して高精度かつ容易に所定の音声成分を強調して音声記録を行なうことができる。
【００８０】
なお、本実施の形態では、音声成分として、目的とする音声の周波数分布に基づく周波数帯域を設定する形態について説明したが、本発明はこれに限定されるものではなく、周波数の変動パターンや声紋等を設定することができる。この場合、入力された目的とする音声を示す音声信号の周波数解析により周波数の変動パターンや声紋等を分析し、従来既知のパターンマッチング等を行なって一致した音声信号を強調することになる。
【００８１】
また、本実施の形態では、記録すべきデジタル音声データのうち、抽出したデジタル音声データを増幅して抽出前のデジタル音声データと重畳することにより目的とする音声成分のみを強調する形態について説明したが、本発明はこれに限定されるものではない。すなわち、目的とする音声成分のみが相対的に強調されるようにすればよく、目的とする音声以外の音声信号を減衰してもよい。また、抽出した音声信号を増幅すると共に抽出前の音声信号を減衰してもよい。
【００８２】
さらに、本実施の形態では、目的とする音声成分を強調するように調整する処理を、バンドパスフィルタ及び増幅器を用いて行う形態について説明したが、本発明はこれに限定されるものではなく、カットフィルタやパスフィルタ、増幅器、減衰器の組合わせによっても行なうことができる。
【００８３】
更に、本実施の形態では、本発明に係る電子機器として、デジタルカメラ１０に本発明を適用した形態について説明したが、本発明はこれに限定されるものではなく、携帯電話機、ＰＤＡ等の音声を録音する機能を有する電子機器に適用することができる。
【００８４】
また、本実施の形態では、音声入力手段により入力された音声信号をデジタル音声データに変換し、デジタル音声データとして記録媒体に記録する形態について説明したが、本発明は、音声をアナログ信号として記録媒体に記録する形態についても適用できることはいうまでもない。
【００８５】
なお、本実施の形態で説明したフローチャート（図３乃至図５参照）の処理の流れは一例であり、本発明の主旨を逸脱しない範囲内において適宜変更可能であることは言うまでもない。
【００８６】
また、以上のデジタルカメラ１０の構成（図１及び図２参照）は一例であり、本発明の主旨を逸脱しない範囲内において適宜変更可能であることは言うまでもない。
【図面の簡単な説明】
【００８７】
【図１】実施の形態に係るデジタルカメラの外観を示す外観図である。
【図２】実施の形態に係るデジタルカメラの電気系の構成を示すブロック図である。
【図３】実施の形態に係る音声成分登録処理プログラムの処理の流れを示すフローチャートである。
【図４】実施の形態に係る音声記録処理プログラムの処理の流れを示すフローチャートである。
【図５】実施の形態に係るデジタル音声データ調整時の処理の手順を示すフローチャートである。
【符号の説明】
【００８８】
１０    デジタルカメラ
４０    ＣＰＵ（記録手段）
５２    メモリカード（記録媒体）
６２    マイクロホン（音声入力手段）
６４    音声調整部（調整手段）
【図１】
2005140942.tif 000003
【図２】
2005140942.tif 000004
【図３】
2005140942.tif 000005
【図４】
2005140942.tif 000006
【図５】
2005140942.tif 000007